(57)【要約】【課題】転写部材と巻掛部材との相対的な位置精度を上げる。【解決手段】転写ユニット１００は、中間転写ベルト１０６が巻き掛けられた対向ロール１１６を支持する側壁１１１Ａ、１１１Ｂ、ブラケット１１３Ａ、１１３Ｂと、二次転写ロール１１８を支持するハウジング１２１と、ブラケット１１３Ａ、１１３Ｂにハウジング１２１を相対角変位可能に連結する嵌合構造１３９Ａ、１３９Ｂと、ハウジング１２１を付勢するリトラクト機構部１４０と、を有している。ここで、側壁１１１Ａ、１１１Ｂ、ブラケット１１３Ａ、１１３Ｂにハウジング１２１が連結されており、対向ロール及び二次転写ロール１１８の設置基準が側壁１１１Ａ、１１１Ｂ、ブラケット１１３Ａ、１１３Ｂ、及びハウジング１２１上にあるので、対向ロール１１６と二次転写ロール１１８との相対的な位置精度を上げることができる。【選択図】図３
2014085428.tif 000002
【特許請求の範囲】
【請求項１】
無端状の被転写体が巻き掛けられた巻掛部材を支持する第１支持部材と、
前記巻掛部材とで前記被転写体及び記録媒体を挟み前記被転写体上の現像剤像を記録媒体に転写させる転写部材を支持する第２支持部材と、
前記第１支持部材に前記第２支持部材を相対角変位可能に連結する連結手段と、
前記第１支持部材に設けられ、前記転写部材が前記巻掛部材を押圧する方向に前記第２支持部材を付勢する付勢手段と、
を有する転写装置。
【請求項２】
前記被転写体に現像剤像を形成する現像剤像形成手段と、該現像剤像形成手段で形成された前記被転写体上の現像剤像を記録媒体に転写する請求項１に記載の転写装置と、が設けられる装置本体を有し、
前記第１支持部材は前記装置本体に取り付けられ、
前記第２支持部材は前記第１支持部材に対し着脱可能とされ、
前記連結手段は、前記転写部材の軸方向に沿って前記装置本体の奥側と手前側とで同軸且つ着脱可能に嵌合される嵌合構造とされ、
前記第２支持部材には、前記第１支持部材に対する装着動作に伴って、前記装置本体と接触して前記第２支持部材を前記第１支持部材側へ押し上げる押上部が設けられている画像形成装置。
【発明の詳細な説明】
【技術分野】
【０００１】
本発明は、転写装置及び画像形成装置に関する。
【背景技術】
【０００２】
特許文献１の画像形成装置は、カム部材を回転させると、中間転写ユニットに設けられた第１のカムリンクが支点を中心として反時計回りに回転する。これにより、第１のカムリンクの短辺部が、第２ユニットに設けられた第２のカムリンクの短辺部を押圧する。そして、第２のカムリンクは、支点を中心として時計回りに回転する。この結果、第２ユニットに設けられた回転部材が中間転写ユニット方向に押圧され、二次転写ロールが中間転写ベルトに押圧されている。
【０００３】
特許文献２の画像形成装置は、二次転写ローラを中間転写ベルトに向けて付勢して接触させる付勢コイルバネと、中間転写ベルトを間にして二次転写ローラと対向する駆動ローラの軸部材上に配置された偏心カムと、が設けられている。そして、特許文献２の画像形成装置では、偏心カムを二次転写ローラに押し当て、二次転写ローラを付勢コイルバネによる付勢力に反して中間転写ベルトから離間させている。
【０００４】
特許文献３の転写装置は、トナー像の転写位置においてベルト回転体が架け回されたバックアップロールと、バックアップロールに向けて付勢されバックアップロールとでベルト回転体及び記録シートを挟み込む転写ロールと、を有している。さらに、特許文献３の転写装置には、バックアップロールに対する転写ロールの圧接力を変化させる調整機構が設けられている。
【先行技術文献】
【特許文献】
【０００５】
【特許文献１】特開２００７−２１２９８２号公報
【特許文献２】特開２０１０−０１９９６４号公報
【特許文献３】特開２００３−１３１４９４号公報
【発明の概要】
【発明が解決しようとする課題】
【０００６】
本発明は、転写部材と巻掛部材との相対的な位置精度を上げることができる転写装置及び画像形成装置を得ることを目的とする。
【課題を解決するための手段】
【０００７】
本発明の請求項１に係る転写装置は、無端状の被転写体が巻き掛けられた巻掛部材を支持する第１支持部材と、前記巻掛部材とで前記被転写体及び記録媒体を挟み前記被転写体上の現像剤像を記録媒体に転写させる転写部材を支持する第２支持部材と、前記第１支持部材に前記第２支持部材を相対角変位可能に連結する連結手段と、前記第１支持部材に設けられ、前記転写部材が前記巻掛部材を押圧する方向に前記第２支持部材を付勢する付勢手段と、を有する。
【０００８】
本発明の請求項２に係る画像形成装置は、前記被転写体に現像剤像を形成する現像剤像形成手段と、該現像剤像形成手段で形成された前記被転写体上の現像剤像を記録媒体に転写する請求項１に記載の転写装置と、が設けられる装置本体を有し、前記第１支持部材は前記装置本体に取り付けられ、前記第２支持部材は前記第１支持部材に対し着脱可能とされ、前記連結手段は、前記転写部材の軸方向に沿って前記装置本体の奥側と手前側とで同軸且つ着脱可能に嵌合される嵌合構造とされ、前記第２支持部材には、前記第１支持部材に対する装着動作に伴って、前記装置本体と接触して前記第２支持部材を前記第１支持部材側へ押し上げる押上部が設けられている。
【発明の効果】
【０００９】
請求項１の発明は、第１支持部材、第２支持部材を独立して他の部材に取り付ける構成に比べて、転写部材と巻掛部材との相対的な位置精度を上げることができる。
【００１０】
請求項２の発明は、第１支持部材と第２支持部材を同軸で連結する構成において、第２支持部材を押し上げる押上部が設けられていない構成に比べて、第１支持部材と第２支持部材との連結を簡単に行うことができる。
【図面の簡単な説明】
【００１１】
【図１】第１実施形態に係る画像形成装置の全体構成図である。
【図２】第１実施形態に係る画像形成ユニットの構成図である。
【図３】第１実施形態に係る転写装置の構成図である。
【図４】第１実施形態に係るブラケットの貫通孔にハウジングのスタッドを嵌合させる直前の状態を示す斜視図である。
【図５】第１実施形態に係る画像形成装置を−Ｘ方向に見た状態を示す説明図である。
【図６】（Ａ）、（Ｂ）、（Ｃ）第１実施形態に係るドロワーを装置本体に装着してハウジングを取り付ける手順を示す説明図である。
【図７】（Ａ）、（Ｂ）第１実施形態に係る二次転写ロールをバックアップロールへ向けて付勢する状態を示す説明図である。
【図８】第２実施形態に係る転写装置の構成図である。
【図９】（Ａ）、（Ｂ）、（Ｃ）第２実施形態に係るドロワーを装置本体に装着してハウジングを取り付ける手順を示す説明図である。
【図１０】比較例に係る転写装置をＺ方向に見た状態を示す説明図である。
【発明を実施するための形態】
【００１２】
[第１実施形態]
本発明の第１実施形態に係る転写装置及び画像形成装置の一例について説明する。
【００１３】
（全体構成）
図１には、第１実施形態の一例としての画像形成装置１０が示されている。画像形成装置１０は、上下方向（Ｙ方向）の下側から上側へ向けて、記録媒体の一例としての記録用紙Ｐが収容される用紙収容部１２と、用紙収容部１２の上に設けられ用紙収容部１２から供給される記録用紙Ｐに画像形成を行う主動作部１４と、主動作部１４の上に設けられ原稿（図示省略）を読み取る原稿読取部１６と、主動作部１４内に設けられ画像形成装置１０の各部の動作を制御する制御部２０と、を含んで構成されている。
【００１４】
なお、図中の「○」の中に「×」が記載されたものは、手前から奥へ向かう矢印を意味し、図中の「○」の中に「・」が記載されたものは、奥から手前へ向かう矢印を意味する。また、画像形成装置１０をユーザー（図示省略）が立つ側から正面視して、Ｘ方向は右方向、−Ｘ方向は左方向、Ｙ方向は上方向、−Ｙ方向は下方向、Ｚ方向は奥行き方向、−Ｚ方向は手前方向に相当している。
【００１５】
用紙収容部１２は、サイズの異なる記録用紙Ｐを収容可能な第１収容部２２、第２収容部２４、第３収容部２６、及び第４収容部２８を有している。第１収容部２２、第２収容部２４、第３収容部２６、及び第４収容部２８には、収容された記録用紙Ｐを一枚ずつ送り出す送り出しロール３２と、送り出された記録用紙Ｐを画像形成装置１０内に設けられた搬送路３０に搬送する搬送ロール３４と、が設けられている。
【００１６】
また、搬送路３０における搬送ロール３４よりも下流側には、記録用紙Ｐを一枚ずつ搬送する複数の搬送ロール３６が設けられている。さらに、搬送路３０における記録用紙Ｐの搬送方向で搬送ロール３６よりも下流側には、記録用紙Ｐを一端停止させると共に、決められたタイミングで後述する二次転写位置へ送り出すことで画像転写の位置合せを行う位置合せロール３８が設けられている。
【００１７】
搬送路３０の上流側部分は、画像形成装置１０の正面視において、矢印Ｙ方向に向けて用紙収容部１２の−Ｘ方向側から主動作部１４の−Ｘ方向側下部まで直線状に設けられている。また、搬送路３０の下流側部分は、主動作部１４の−Ｘ方向側下部から主動作部１４のＸ方向側面に設けられた排紙部１１まで設けられている。さらに、搬送路３０には、記録用紙Ｐの両面に画像形成を行うために記録用紙Ｐが搬送及び反転される両面搬送路３１が接続されている。なお、両面搬送を行わないときの記録用紙Ｐの搬送方向は、矢印Ａで示されている。
【００１８】
両面搬送路３１は、画像形成装置１０の正面視において、主動作部１４のＸ方向側下部から用紙収容部１２のＸ方向側まで矢印Ｙ方向に直線状に設けられた反転部３３と、反転部３３に搬送された記録用紙Ｐの後端が進入するとともに図示の−Ｘ方向側（矢印Ｂで示す）に記録用紙Ｐを搬送する搬送部３５とを有している。そして、搬送部３５の下流側端部は、搬送路３０の位置合せロール３８よりも上流側に案内部材（図示省略）により接続されている。なお、図１において、反転部３３及び搬送部３５には複数の搬送ロールが間隔をあけて設けられているが、図示を省略している。また、搬送路３０と両面搬送路３１との切り替えを行う切替部材、及び反転部３３から搬送路３０への記録用紙Ｐの逆方向搬送を防ぐ逆送防止部材についても図示を省略している。
【００１９】
原稿読取部１６は、複数の原稿（図示省略）を置くことが可能な原稿置台４１と、一枚の原稿が載せられるプラテンガラス４２と、プラテンガラス４２に載せられた原稿を読み取る原稿読取装置４４と、読み取られた原稿が排出される原稿排出部４３とが設けられている。
【００２０】
原稿読取装置４４は、プラテンガラス４２に載せられた原稿に光を照射する光照射部４６と、光照射部４６によって照射され原稿から反射された反射光をプラテンガラス４２と平行な方向に反射させて折り返す１つのフルレートミラー４８及び２つのハーフレートミラー５２と、フルレートミラー４８及びハーフレートミラー５２によって折り返された反射光が入射する結像レンズ５４と、結像レンズ５４によって結像された反射光を電気信号に変換する光電変換素子５６とを含んで構成されている。
【００２１】
なお、光電変換素子５６によって変換された電気信号は、画像処理装置（図示省略）で画像処理され画像形成に用いられるようになっている。また、フルレートミラー４８は、プラテンガラス４２に沿ってフルレートで移動し、ハーフレートミラー５２は、プラテンガラス４２に沿ってハーフレートで移動するようになっている。結像レンズ５４及び光電変換素子５６は固定されている。
【００２２】
主動作部１４は、複数のフレームで構成された装置本体１３内に、記録用紙Ｐ上にトナー画像（現像剤像）を形成する現像剤像形成手段の一例としての画像形成部６０と、装置本体１３に対してＺ方向に装着され又は装置本体１３から−Ｚ方向に引抜き可能とされたドロワーユニット８０と、画像形成部６０で形成された記録用紙Ｐ上のトナー画像を定着する定着装置９０と、が設けられている。
【００２３】
画像形成部６０は、後述する現像剤Ｇ（図２参照）に含まれるイエロー（Ｙ）、マゼンタ（Ｍ）、シアン（Ｃ）、及びブラック（Ｋ）の各トナーに対応して設けられた感光体６２Ｋ、６２Ｃ、６２Ｍ、６２Ｙを有する画像形成ユニット６４Ｋ、６４Ｃ、６４Ｍ、６４Ｙと、感光体６２Ｋ、６２Ｃ、６２Ｍ、６２Ｙの外周面に向けて光ビームＬを出射して露光を行う露光ユニット６６Ｋ、６６Ｃ、６６Ｍ、６６Ｙと、画像形成ユニット６４Ｋ、６４Ｃ、６４Ｍ、６４Ｙで形成された画像を記録用紙Ｐ上に転写する転写装置の一例としての転写ユニット１００と、を含んで構成されている。なお、以後の説明では、Ｙ、Ｍ、Ｃ、Ｋを区別する必要がある場合は、数字の後にＹ、Ｍ、Ｃ、Ｋのいずれかの英字を付して説明し、同様の構成でＹ、Ｍ、Ｃ、Ｋを区別する必要がない場合は、Ｙ、Ｍ、Ｃ、Ｋの記載を省略する。
【００２４】
露光ユニット６６は、光源（図示省略）から出射された光ビームを回転多面鏡（ポリゴンミラー：符号無し）で走査すると共に反射ミラーを含む複数の光学部品（図示省略）で反射して、各トナーに対応した光ビームＬを感光体６２へ向けて出射する構成となっている。また、感光体６２は、露光ユニット６６の下方側（−Ｙ方向側）に設けられている。
【００２５】
図２に示すように、画像形成ユニット６４は、矢印＋Ｒ方向（図示の時計回り方向）に回転可能に設けられた感光体６２と、感光体６２の外周面と対向して回転方向の上流側から下流側へ順に配置された帯電器７２、現像器７４、及びクリーニングユニット７６とを含んで構成されている。なお、帯電器７２と現像器７４は、感光体６２の外周面で帯電器７２と現像器７４との間の位置に光ビームＬが照射されるように配置されている。また、感光体６２の外周面で現像器７４とクリーニングユニット７６との間の位置には、後述する中間転写ベルト１０６が接触している。
【００２６】
感光体６２は、アルミニウムなどで構成され導電性を有すると共に接地される円筒状の基材（図示省略）と、この基材の外周面で径方向に順次積層された電荷発生層、電荷輸送層、及び保護層を含む表面層（図示省略）とで構成されており、モータ（図示省略）の駆動により矢印＋Ｒ方向に回転可能となっている。また、帯電器７２は、一例として、ワイヤに電圧を印加してコロナ放電により感光体６２の外周面をトナーと同極性に帯電させるコロトロン方式の帯電手段で構成されている。ここで、帯電した感光体６２の外周面に画像データに基づいて光ビームＬが照射されることで、潜像（静電潜像）が形成される。
【００２７】
現像器７４は、一例として、磁性体からなるキャリア粒子とトナーが混合された現像剤Ｇを収容しており、周方向に複数の磁極を有するマグネットロール（図示省略）が内側に設けられた円筒状の現像スリーブ７５が設けられている。そして、現像器７４は、現像スリーブ７５が回転することにより感光体６２と対向する部位で磁気ブラシを形成すると共に、電圧印加手段（図示省略）によって現像スリーブ７５に現像バイアスが印加されることで、感光体６２の外周面の潜像をトナーで顕在化させてトナー画像（現像剤像）を形成するようになっている。なお、各現像器７４には、画像形成部６０の上方に設けられた各トナーカートリッジ７９（図１参照）からトナーが供給されるようになっている。
【００２８】
クリーニングユニット７６は、感光体６２の回転方向に先端側を向けて配置されると共に感光体６２の外周面と接触するクリーニングブレード７７を有しており、感光体６２の外周面に残留した転写残りのトナーをクリーニングブレード７７で掻き落として回収するようになっている。また、感光体６２の回転方向で現像器７４よりも下流側には、現像器７４で現像されたトナー画像が一次転写される後述する中間転写ベルト１０６が設けられている。
【００２９】
図１に示すように、記録用紙Ｐの移動方向で後述する転写部材の一例としての二次転写ロール１１８よりも下流側には、トナー画像の二次転写が終了した記録用紙Ｐを後述する定着装置９０へ搬送する搬送ベルト９６が設けられている。搬送ベルト９６は、支持ロール９７、駆動ロール９８、及び図示しないモータ及びギアを有する駆動手段によって、定着装置９０へ記録用紙Ｐを搬送するように周回移動可能に設けられている。
【００３０】
定着装置９０は、一例として、熱源であるハロゲンランプ（図示省略）により加熱される加熱ロール９２と、加熱ロール９２へ向けて付勢され加熱ロール９２と共に記録用紙Ｐを挟んで加圧する加圧ロール９４とを有している。そして、定着装置９０は、加熱ロール９２と加圧ロール９４との間に二次転写が終了した記録用紙Ｐが進入することで、熱及び圧力の作用により記録用紙Ｐにトナー画像を定着させる。
【００３１】
駆動ロール１１２の近くで中間転写ベルト１０６の外周面と対向する位置には、二次転写後の中間転写ベルト１０６上の残留トナーや紙粉を除去するクリーニングブレード９５が設けられている。なお、中間転写ベルト１０６の外周面でトナー画像が転写されない非転写領域の基準位置には、一例として、光を反射するシール部材（図示省略）が固定されている。また、このシール部材と対向可能となる位置には、中間転写ベルト１０６の非転写領域に光を照射すると共に、シール部材で反射された光を受光することで中間転写ベルト１０６の基準位置を検知する位置センサ（図示省略）が設けられている。これにより、画像形成部６０では、位置センサで得られた基準位置の信号に基づいて、各部の画像形成動作が行われる。
【００３２】
画像形成装置１０において、複数のフレーム材及び板材で構成された装置本体１３は、Ｘ方向側、−Ｘ方向側、Ｚ方向側、及び−Ｚ方向側が、カバー部材１５（図５参照）で覆われている。そして、装置本体１３の下部（中間転写ベルト１０６よりも下側の部位）には、ドロワーユニット８０が設けられている。
【００３３】
図５に示すように、ドロワーユニット８０は、画像形成装置１０をＺ方向に見て、−Ｚ方向側を覆うカバー部材８２と、カバー部材８２の−Ｙ方向側の端部（下端部）からＺ方向に延びるレール部材８４とを含んで構成されている。ここで、装置本体１３の内側には、Ｘ−Ｚ面（ほぼ水平面）に沿って板状の底部１３Ａが設けられている。そして、レール部材８４は、底部１３Ａ上に設けられたＸ−Ｙ断面がコ字状の案内部材（図示省略）で案内されるようになっている。これにより、ドロワーユニット８０は、装置本体１３に対して−Ｚ方向側に引き出され、又はＺ方向側に押し込まれて装置本体１３に装着される構成となっている。また、ドロワーユニット８０には、カバー部材８２のＺ方向側で且つ−Ｙ方向端部（下端部）の面に隣接して、連結部８５が設けられている。
【００３４】
連結部８５は、−Ｘ方向に見て断面形状が台形状のベース８５Ａを有している。ベース８５Ａ上には、Ｘ方向に間隔をあけて１対のブラケット（図示省略）が２組設けられており、これらのブラケットには、後述するハウジング１２１の−Ｚ方向側に設けられたキャスタ１３８が回転可能に連結されている。
【００３５】
さらに、ベース８５Ａには、Ｚ方向に向けて−Ｙ方向に下がる傾斜部８５Ｂが形成されている。ここで、ハウジング１２１は、傾斜部８５Ｂがあることによって、Ｚ方向側の端部の高さが−Ｚ方向側の端部の高さと同じ配置（水平配置）となるか、あるいは、Ｚ方向側の端部の高さが−Ｚ方向側の端部の高さよりも低い配置（傾斜配置）となることが可能となっている。
【００３６】
一方、装置本体１３のＺ方向側の端部で且つ底部１３Ａ上の部位には、装置本体１３の一部を構成し、ハウジング１２１のＺ方向側のキャスタ１３８が乗り上げ可能な乗上部８６が設けられている。
【００３７】
乗上部８６は、−Ｘ方向に見て断面形状が台形状のベース８６Ａを有している。ベース８６Ａの上面は、ほぼ水平面となっている。また、ベース８６Ａには、−Ｚ方向に向けて−Ｙ方向に下がる傾斜部８６Ｂと、傾斜部８６Ｂの−Ｚ方向側の端部でＹ方向に直立する面で構成された段差部８６Ｃが形成されている。ここで、ハウジング１２１は、キャスタ１３８が傾斜部８６Ｂを経てベース８６Ａの上面に到達することによって、−Ｚ方向側の端部の高さがＺ方向側の端部の高さと同じ配置（水平配置）となる。
【００３８】
図１に示すように、ドロワーユニット８０には、位置合せロール３８と、後述する第２ユニット１０４と、搬送ベルト９６（支持ロール９７及び駆動ロール９８を含む）と、定着装置９０とが搭載されている。定着装置９０は、ドロワーユニット８０に対して着脱可能となっている。そして、定着装置９０を装置本体１３から取り出すときは、ドロワーユニット８０を−Ｚ方向に引き出してから定着装置９０をＹ方向に移動させることで取り出せる。
【００３９】
（画像形成工程）
次に、画像形成装置１０における画像形成工程について説明する。
【００４０】
図１に示すように、画像形成装置１０では、各感光体６２の外周面が帯電器７２（図２参照）で帯電されると共に、画像データに応じて各露光ユニット６６から出射された光ビームＬによって露光され、感光体６２の外周面に静電潜像が形成される。
【００４１】
続いて、各感光体６２の外周面に形成された静電潜像は、各現像器７４（図２参照）によって、それぞれイエロー（Ｙ）、マゼンタ（Ｍ）、シアン（Ｃ）、黒（Ｋ）の各色のトナー画像として現像される。
【００４２】
続いて、各感光体６２の表面に形成された各トナー画像は、後述する各一次転写ロール１０８によって中間転写ベルト１０６上に順次、多重転写される。そして、中間転写ベルト１０６上に多重転写されたトナー画像は、搬送路３０を搬送されてきた記録用紙Ｐ上に対向ロール１１６及び二次転写ロール１１８によって二次転写される。
【００４３】
続いて、トナー画像が転写された記録用紙Ｐは、搬送ベルト９６により定着装置９０に向けて搬送される。そして、定着装置９０では、記録用紙Ｐ上のトナー画像が加熱、加圧されることで定着される。トナー画像が定着された記録用紙Ｐは、一例として、排紙部１１に排出される。このようにして、一連の画像形成工程が行われる。なお、画像が形成されていない非画像面にトナー画像を形成する場合（両面画像形成の場合）は、定着装置９０で表面に画像定着を行った後、記録用紙Ｐを両面搬送路３１に送り込んで裏面の画像形成及び定着を行う。
【００４４】
（要部構成）
次に、転写ユニット１００の一例について説明する。
【００４５】
図１に示すように、転写ユニット１００は、感光体６２上のトナー画像を中間転写ベルト１０６に一次転写させる一次転写ロール１０８を含む第１ユニット１０２と、中間転写ベルト１０６上のトナー画像を記録用紙Ｐに二次転写させる二次転写ロール１１８を含む第２ユニット１０４とを有している。さらに、転写ユニット１００には、後述する巻掛部材の一例としての対向ロール１１６へ向けて二次転写ロール１１８を付勢し又は付勢を解除する付勢手段の一例としてのリトラクト機構部１４０が設けられている。
【００４６】
第１ユニット１０２は、無端状の被転写体の一例としての中間転写ベルト１０６と、一次転写ロール１０８Ｋ、１０８Ｃ、１０８Ｍ、１０８Ｙと、中間転写ベルト１０６を挟んで二次転写ロール１１８と対向する対向ロール１１６とを含んで構成されている。そして、第１ユニット１０２は、装置本体１３に取り付けられている。
【００４７】
中間転写ベルト１０６は、一例として、ポリイミドあるいはポリアミドからなる樹脂にカーボンブラック（帯電防止剤）を含有させたフィルム状の無端ベルトで構成されている。また、中間転写ベルト１０６の内側には、画像形成ユニット６４Ｙ及び一次転写ロール１０８Ｙの近くに配置されモータ（図示省略）により回転駆動される駆動ロール１１２と、回転可能に設けられた複数の搬送ロール１１４とが配置されている。
【００４８】
中間転写ベルト１０６の−Ｚ方向側及びＺ方向側には、Ｘ−Ｙ面に沿って直立する１組の側壁１１１Ａ、１１１Ｂ（図４参照）が設けられている。そして、側壁１１１Ａ及び側壁１１１Ｂは、一次転写ロール１０８Ｋ、１０８Ｃ、１０８Ｍ、１０８Ｙ、駆動ロール１１２、複数の搬送ロール１１４、及び対向ロール１１６をＺ方向を軸方向として回転可能に支持している。
【００４９】
図３及び図４に示すように、側壁１１１Ａ及び１１１Ｂにおける対向ロール１１６の両端部と対向する位置には、ブラケット１１３Ａ、１１３Ｂが複数のネジ１１７で締結されている。ここで、側壁１１１Ａ、１１１Ｂ、及びブラケット１１３Ａ、１１３Ｂが、対向ロール１１６を支持する第１支持部材の一例である。
【００５０】
ブラケット１１３Ａ、１１３Ｂは、側壁１１１Ａ、１１１Ｂに沿った板状の部材であり、一例として、Ｘ方向側の下端部が−Ｘ方向側の下端部よりも−Ｙ方向側に延ばされて被取付部１１９が形成されている。ブラケット１１３Ａの被取付部１１９には、後述する第１スタッド１３７Ａが着脱可能に嵌合する大きさの貫通孔１１９Ａが形成されている。同様に、ブラケット１１３Ｂの被取付部１１９には、後述する第２スタッド１３７Ｂが着脱可能に嵌合する大きさの貫通孔１１９Ｂが形成されている。貫通孔１１９Ａと貫通孔１１９Ｂは、同軸上に配置されている。
【００５１】
図１に示すように、中間転写ベルト１０６は、駆動ロール１１２、複数の搬送ロール１１４、及び対向ロール１１６に巻き掛けられている。これにより、中間転写ベルト１０６は、駆動ロール１１２が図示の反時計周りに回転すると、矢印Ｃ方向（図示の反対時計回り方向）に周回移動するようになっている。そして、中間転写ベルト１０６の内周面には、一次転写ロール１０８Ｋ、１０８Ｃ、１０８Ｍ、１０８Ｙが接触している。
【００５２】
一次転写ロール１０８は、一例として、ステンレス鋼などの金属で構成された円柱状のシャフト（図示省略）を有している。また、一次転写ロール１０８は、シャフトの両端部が側壁１１１Ａ、１１１Ｂ（図４参照）に設けられたベアリングで支持されることにより矢印−Ｒ方向（図２参照）に回転可能となっている。さらに、一次転写ロール１０８は、電源（図示省略）からシャフトにトナーの極性とは逆極性の電圧が印加されるようになっている。
【００５３】
対向ロール１１６は、二次転写ロール１１８の対向電極を形成しており、対向ロール１１６の外周面に接触配置された金属製の給電ロール（図示省略）を介して二次転写電圧が印加されるようになっている。ここで、対向ロール１１６に二次転写電圧が印加され、対向ロール１１６と二次転写ロール１１８との間に電位差が生じることにより、二次転写ロール１１８と中間転写ベルト１０６との接触部に搬送される記録用紙Ｐ上に中間転写ベルト１０６上のトナー画像が二次転写されるようになっている。
【００５４】
図３に示すように、第２ユニット１０４は、ユニット本体を構成する第２支持部材の一例としてのハウジング１２１と、ハウジング１２１内にＺ方向を軸方向として回転可能に設けられた二次転写ロール１１８と、二次転写ロール１１８の下側でハウジング１２１内に設けられ廃トナー（二次転写ロール１１８から除去されたトナー）が回収される回収容器１２３と、を有している。
【００５５】
さらに、第２ユニット１０４は、二次転写ロール１１８の外周面を清掃するクリーニングブレード１２２と、クリーニングブレード１２２による清掃後の二次転写ロール１１８の外周面に残留する埃などを清掃し、一例としてステアリン酸亜鉛からなる滑材１２６を二次転写ロール１１８の外周面に塗布するブラシロール１２４と、ブラシロール１２４に接触する位置に設けられ、ブラシロール１２４に溜まった埃などを落とす円柱状の掻き落とし部材１２８と、を有している。なお、図３では二次転写ロール１１８の外周面をクリーニングブレード１２２で清掃した後に、二次転写ロール１１８にブラシロール１２４が滑材１２６を塗布する配置順となっているが、この配置順は逆でもよく、二次転写ロール１１８にブラシロール１２４が滑材１２６を塗布した後に、二次転写ロール１１８が二次転写ロール１１８をクリーニングする配置順としても良い。
【００５６】
二次転写ロール１１８は、一例として、一次転写ロール１０８（図１参照）と同様の構成となっており、搬送路３０（図１参照）における記録用紙Ｐの搬送方向で位置合せロール３８（図１参照）の下流側に配置され回転可能に設けられている。また、二次転写ロール１１８は、対向ロール１１６とで中間転写ベルト１０６（及び記録用紙Ｐ（図示省略））を挟むように中間転写ベルト１０６の外周面に接触している。なお、二次転写ロール１１８は、電気的に接地されている。
【００５７】
図５に示すように、ハウジング１２１は、Ｚ方向を長手方向としてＸ−Ｚ面に沿って配置された矩形状の底板１３１を有している。また、図４に示すように、ハウジング１２１は、底板１３１（図５参照）の周囲で直立する側壁１３２、１３３、１３４、１３５を有している。
【００５８】
側壁１３２は、底板１３１（図５参照）の−Ｚ方向側の端部でＸ−Ｙ面に沿って直立しており、側壁１３３は、底板１３１のＺ方向側の端部でＸ−Ｙ面に沿って直立している。なお、側壁１３２と側壁１３３は、一例として同じ大きさ及び形状とされている。
【００５９】
側壁１３２は、一例として、矩形状の板材のＹ方向端部（上端部）において、Ｘ方向側の端部及び−Ｘ方向側の端部が、Ｘ方向の中央部よりもＹ方向に突出した形状となっている。即ち、側壁１３２は、−Ｘ方向側でＹ方向に突出した第１突出部１３２Ａと、Ｘ方向側でＹ方向に突出した第２突出部１３２Ｂとを有している。
【００６０】
第１突出部１３２Ａには、Ｚ方向側の面からＺ方向を軸方向としてＺ方向に突出した円柱状の第１ピン１３６Ａが設けられている。また、第２突出部１３２Ｂには、Ｚ方向側の面からＺ方向を軸方向としてＺ方向に突出した第１スタッド１３７Ａが設けられている。第１スタッド１３７Ａは、円柱状の軸部Ｓ１と、該軸部のＺ方向端部からＺ方向に突出した円錐台状のテーパ部Ｔ１とを有しており、テーパ部Ｔ１の外径の大きさが貫通孔１１９Ａの孔径よりも小さく、且つ軸部Ｓ１の外径の大きさが、貫通孔１１９Ａの孔壁と嵌合可能な大きさとなっている。
【００６１】
側壁１３３は、一例として、矩形状の板材のＹ方向端部（上端部）において、Ｘ方向側の端部及び−Ｘ方向側の端部が、Ｘ方向の中央部よりもＹ方向に突出した形状となっている。即ち、側壁１３３は、−Ｘ方向側でＹ方向に突出した第１突出部１３３Ａと、Ｘ方向側でＹ方向に突出した第２突出部１３３Ｂとを有している。
【００６２】
第２突出部１３３Ａには、Ｚ方向側の面からＺ方向を軸方向としてＺ方向に突出した円柱状の第２ピン１３６Ｂが設けられている。また、第２突出部１３３Ｂには、Ｚ方向側の面からＺ方向を軸方向としてＺ方向に突出した第２スタッド１３７Ｂが設けられている。第２スタッド１３７Ｂは、円柱状の軸部Ｓ２と、該軸部のＺ方向端部からＺ方向に突出した円錐台状のテーパ部Ｔ２とを有しており、テーパ部Ｔ２の外径の大きさが貫通孔１１９Ｂの孔径よりも小さく、且つ軸部Ｓ２の外径の大きさが、貫通孔１１９Ｂの孔壁と嵌合可能な大きさとなっている。
【００６３】
なお、第１スタッド１３７Ａの軸中心位置と第２スタッド１３７Ｂの軸中心位置は、Ｘ−Ｙ面で同じ位置となっている。即ち、第１スタッド１３７Ａと第２スタッド１３７Ｂは、二次転写ロール１１８の軸方向（Ｚ方向）に沿った同軸上に配置されている。また、第１スタッド１３７Ａ、貫通孔１１９Ａ（ブラケット１１３Ａ）、第２スタッド１３７Ｂ、貫通孔１１９Ｂ（ブラケット１１３Ｂ）は、図４に示す状態において、Ｚ方向でこの順番で配置されている。さらに、第１スタッド１３７Ａと第２スタッド１３７Ｂは同じ大きさとなっており、第１ピン１３６Ａと第２ピン１３６Ｂは同じ大きさとなっている。
【００６４】
ここで、第１スタッド１３７Ａと貫通孔１１９Ａの孔壁とで嵌合構造１３９Ａが構成されており、第２スタッド１３７Ｂと貫通孔１１９Ｂの孔壁とで嵌合構造１３９Ｂが構成されている。即ち、嵌合構造１３９Ａ、１３９Ｂでは、Ｚ方向に沿って、装置本体１３（図５参照）の奥側（Ｚ方向側）と手前側（−Ｚ方向側）で、第１スタッド１３７Ａと貫通孔１１９Ａの孔壁、及び第２スタッド１３７Ｂと貫通孔１１９Ｂの孔壁が着脱可能に嵌合される。
【００６５】
また、嵌合構造１３９Ａ、１３９Ｂが、側壁１１１Ａ、１１１Ｂ、及びブラケット１１３Ａ、１１３Ｂに対して、ハウジング１２１をＸ−Ｙ面内で相対角変位可能に連結する連結手段の一例である。即ち、ハウジング１２１は、嵌合構造１３９Ａ、１３９Ｂの嵌合状態において、同軸上にある第１スタッド１３７Ａ及び第２スタッド１３７Ｂを回転中心（ピボット）として、側壁１１１Ａ、１１１Ｂ、及びブラケット１１３Ａ、１１３Ｂに対して、相対角が変更可能となる。
【００６６】
側壁１３４は、底板１３１（図５参照）の−Ｘ方向側の端部でＹ−Ｚ面に沿って直立しており、側壁１３５は、底板１３１のＸ方向側の端部でＹ−Ｚ面に沿って直立している。なお、側壁１３２と側壁１３３は、一例として、同じ大きさ及び形状であり、Ｙ方向の高さが側壁１３２、１３３よりも低い矩形状とされている。このように、ハウジング１２１は、Ｙ方向側に開口した箱状に形成されている。
【００６７】
図４に示すように、側壁１３２の−Ｙ方向端部における−Ｚ方向側の面には、Ｘ方向に間隔をあけて２つのキャスタ１３８（１つは図示省略）が設けられている。同様に、側壁１３３の−Ｙ方向端部におけるＺ方向側の面には、Ｘ方向に間隔をあけて２つのキャスタ１３８が設けられている。なお、本実施形態では、一例として、側壁１３２側の２つのキャスタ１３８が、既述の連結部８５に連結されるため、回転するのは側壁１３３側の２つのキャスタ１３８である。
【００６８】
次に、リトラクト機構部１４０について説明する。
【００６９】
なお、リトラクト機構部１４０は、転写ユニット１００におけるＺ方向側（側壁１１１Ａ側）と−Ｚ方向側（側壁１１１Ｂ側）とで同様の構成となっているため、ここでは−Ｚ方向側（手前側）について説明し、Ｚ方向側（奥側）の説明を省略する。
【００７０】
図３に示すように、リトラクト機構部１４０は、既述の第１ピン１３６Ａと、第１ピン１３６Ａを予め定めた方向（図示の矢印＋Ｅ方向、−Ｅ方向）に移動させるブラケット１４２と、ブラケット１４２を＋Ｅ方向、−Ｅ方向に移動させるレバー部材１４４と、レバー部材１４４を変位させる偏心カム１４６と、レバー部材１４４の一端を引っ張る引張コイルバネ１４８と、を含んで構成されている。なお、＋Ｅ方向は、二次転写ロール１１８が対向ロール１１６に向かう方向とほぼ平行な方向であり、−Ｅ方向は、二次転写ロール１１８が対向ロール１１６から離れる方向とほぼ平行な方向である。
【００７１】
ブラケット１４２は、Ｘ−Ｙ面に沿って配置された矩形状の板材の長手方向の一端部（−Ｅ方向側）が短手方向の一方側から切り欠かれ、引掛部１４２Ａが形成されている。また、ブラケット１４２における引掛部１４２Ａよりも＋Ｅ方向側には、−Ｚ方向に突出した円柱状の被付勢部１４２Ｂが設けられている。さらに、ブラケット１４２における被付勢部１４２Ｂよりも＋Ｅ方向側には、＋Ｅ方向に間隔をあけて且つ＋Ｅ方向を長手方向とする２つの長孔１４２Ｃ、１４２Ｄが形成されている。
【００７２】
側壁１１１Ａには、＋Ｅ方向に沿って間隔をあけると共に−Ｚ方向に突出した円柱状のガイドピン１５２Ａ、１５２Ｂが設けられている。ガイドピン１５２Ａ、１５２Ｂは、長孔１４２Ｃ、１４２Ｄの短い方の幅方向長さよりも僅かに短い直径となっている。また、側壁１１１Ａには、下側に位置しているガイドピン１５２Ｂに対して−Ｘ方向側で且つ−Ｙ方向側に離れた位置に−Ｚ方向に突出した円柱状の支軸１５４が設けられている。さらに、側壁１１１Ａには、支軸１５４に対して−Ｘ方向側で且つＹ方向側に離れた位置に−Ｚ方向に突出した円柱状の引掛ピン１５６が設けられている。
【００７３】
レバー部材１４４は、支軸１５４からブラケット１４２側へ延びる短辺部１４４Ａと、支軸１５４からブラケット１４２から離れる側へ延びる長辺部１４４Ｂと、が一体とされた板状に形成されている。そして、レバー部材１４４は、ベアリング（図示省略）を用いて支軸１５４に回転可能に連結されている。
【００７４】
短辺部１４４Ａは、Ｙ方向側の上面がブラケット１４２の被付勢部１４２Ｂと接触している。また、長辺部１４４Ｂの中央部分には、−Ｚ方向に突出した円柱状の軸部１４４Ｃを中心として回転可能とされた環状のカムフォロワ１４５が設けられている。さらに、長辺部１４４Ｂの先端側（支軸１５４側とは反対側）には、−Ｚ方向に突出した円柱状の引掛ピン１４４Ｄが設けられている。
【００７５】
ここで、ブラケット１４２の被付勢部１４２Ｂとレバー部材１４４の短辺部１４４Ａとが接触した状態で、引張コイルバネ１４８の一端が引掛ピン１４４Ｄに引っ掛けられる。さらに、引張コイルバネ１４８の他端が、引掛ピン１５６に引っ掛けられる。これにより、引張コイルバネ１４８が自然長から延び、レバー部材１４４の長辺部１４４Ｂの先端に−Ｒ方向（図示の反時計回り方向）に回転させる引張力が作用している。そして、この引張力により、短辺部１４４Ａが被付勢部１４２Ｂを＋Ｅ方向に押し上げる付勢力が作用し、ブラケット１４２が＋Ｅ方向に押し上げられている。この押し上げ状態では、ブラケット１４２の引掛部１４２Ａが第１ピン１３６Ａを＋Ｅ方向に押し上げるので、対向ロール１１６と二次転写ロール１１８が接触している。
【００７６】
また、側壁１１１Ａにおけるカムフォロワ１４５に対する−Ｘ方向側の部位には、−Ｚ方向に突出した円柱状の支軸１４７が設けられている。そして、支軸１４７には、偏心カム１４９が、Ｘ−Ｙ面に沿って支軸１４７と一体で回転可能に設けられている。
【００７７】
偏心カム１４９は、モータ（図示省略）の回転によって中心から一番遠い周面がカムフォロワ１４５と接触し、レバー部材１４４を＋Ｒ方向に回転させることで、二次転写ロール１１８を対向ロール１１６に対して離間配置させるようになっている。なお、本実施形態では一例として、対向ロール１１６と二次転写ロール１１８が接触している状態では、偏心カム１４９の周面とカムフォロワ１４５とが非接触状態となっている。
【００７８】
（比較例）
次に、比較例の転写装置２００について説明する。
【００７９】
図１０には、比較例の転写装置２００における二次転写位置の周辺部が示されている。比較例の転写装置２００は、トナー画像が画像形成ユニット（図示省略）から一次転写される中間転写ユニット２０２と、中間転写ユニット２０２のトナー画像を記録用紙Ｐ（図示省略）へ二次転写する第２ユニット２０４と、後述する二次転写ロール２０６を対向ロール２１２へ付勢するリトラクト機構部２１０とを含んで構成されている。また、中間転写ユニット２０２と第２ユニット２０４は、装置本体２０１に別々に取り付けられている。
【００８０】
中間転写ユニット２０２は、Ｚ方向を軸方向とする対向ロール２１２及び支持ロール２１３、２１４と、対向ロール２１２及び支持ロール２１３、２１４を回転可能に支持する１組の側板２１６と、対向ロール２１２及び支持ロール２１３、２１４に巻き掛けられた中間転写ベルト２１８と、を有している。
【００８１】
第２ユニット２０４は、ハウジング２０５と、Ｚ方向を軸方向としてハウジング２０５に回転可能に支持された二次転写ロール２０６と、を有している。また、第２ユニット２０４は、ハウジング２０５が、装置本体２０１に設けられたＺ方向を軸方向とするピボット部材２０７と係合することで、ピボット部材２０７を中心として中間転写ユニット２０２に近づく方向又は離れる方向に揺動可能となっている。そして、ハウジング２０５には、−Ｚ方向に突出した円柱状の凸部２０５Ａが形成されている。
【００８２】
リトラクト機構部２１０は、側板２１６にそれぞれ揺動可能に支持された第１リンク部材２２２、第２リンク部材２２４、引張コイルバネ２２３、及び偏心カム２２６を含んで構成されている。第１リンク部材２２２の一端は、引張コイルバネ２２３によって引っ張られており、第１リンク部材２２２の他端は、第２リンク部材２２４の一端と接触している。そして、第２リンク部材２２４の他端は、ハウジング２０５の凸部２０５Ａと接触している。
【００８３】
比較例の転写装置２００では、第１リンク部材２２２の他端が、引張コイルバネ２２３の引張力により第２リンク部材２２４の一端を押圧することで、第２リンク部材２２４が図示の時計回り方向に回転する。そして、第２リンク部材２２４の他端が、凸部２０５Ａを中間転写ユニット２０２側へ付勢することで、対向ロール２１２に向けて二次転写ロール２０６が付勢されている。なお、側板２１６には、第１リンク部材２２２に隣接して偏心カム２２６が回転可能に設けられており、偏心カム２２６が第１リンク部材２２２と接触して、第１リンク部材２２２が図示の時計回り方向に回転することで、第２リンク部材２２４が回転し、二次転写ロール２０６の付勢が解除されるようになっている。
【００８４】
ここで、比較例の転写装置２００では、第２ユニット２０４の回転中心であるピボット部材２０７が装置本体２０１に設けられているため、対向ロール２１２と二次転写ロール２０６との間の累積公差は、リトラクト機構部２１０の他に、装置本体２０１に対する中間転写ユニット２０２の組付公差と、装置本体２０１に対する第２ユニット２０４の組付公差とが含まれ、大きくなる。
【００８５】
対向ロール２１２と二次転写ロール２０６との間の累積公差が大きいと、これらの軸方向（Ｚ方向）における記録用紙Ｐに作用する荷重のばらつき（−Ｚ方向側の荷重とＺ方向側の荷重との差）が大きくなり、また、力の伝達効率が悪いという問題がある。そして、二次転写位置におけるＺ方向、−Ｚ方向での荷重のばらつきは、転写したトナー画像の設定位置からのずれ量がＺ方向、−Ｚ方向で異なり、トナー画像の歪みが増加するという問題がある。
【００８６】
さらに、二次転写位置における記録用紙Ｐに作用する荷重のばらつきがあることで、対向ロール２１２に二次転写ロール２０６を付勢するときの記録用紙Ｐに作用する余荷重を大きく見積もらなくてはならず、大きな付勢力が必要になるという問題がある。なお、余荷重とは、記録用紙Ｐが二次転写位置（対向ロール２１２と二次転写ロール２０６との間）に進入したときに、二次転写ロール２０６が記録用紙Ｐの厚みで押し返されるのを抑制するため、予め二次転写ロール２０６に作用させておく余分な荷重のことである。
【００８７】
（作用）
次に、第１実施形態の作用について説明する。
【００８８】
画像形成装置１０において、一例として、二次転写位置で記録用紙Ｐが詰まった場合、図６（Ａ）に示すように、ユーザ（図示省略）がドロワーユニット８０を−Ｚ方向側に引き出すことで、記録用紙Ｐの取出しが可能となる。なお、ドロワーユニット８０を−Ｚ方向に引き出すとき、１３７Ａ、１３７Ｂが貫通孔１１９Ａ、１１９Ｂ（図４参照）を抜けてから、Ｚ方向側のキャスタ１３８が乗上部８６から下がり、第２ユニット１０４は、Ｚ方向側が−Ｙ方向に下がった傾斜配置となる。これにより、側壁１３３のＹ方向端部（上端部）がブラケット１１３Ａの−Ｙ方向端部（下端部）よりも下側を通過し、ブラケット１１３Ａと側壁１３３が接触せずに、ドロワーユニット８０が−Ｚ方向に引き出される。
【００８９】
続いて、図６（Ｂ）に示すように、ユーザ（図示省略）がドロワーユニット８０をＺ方向に押し込むと、側壁１３３のＹ方向端部（上端部）がブラケット１１３Ａの−Ｙ方向端部（下端部）よりも下側を通過し、ブラケット１１３Ａと側壁１３３が接触せずに、ドロワーユニット８０がＺ方向に押し込まれる。そして、Ｚ方向側のキャスタ１３８が傾斜部８６Ｂ上に乗り、ドロワーユニット８０のＺ方向への押込量に比例してＺ方向側のキャスタ１３８の高さ位置が高くなる。
【００９０】
続いて、図６（Ｃ）に示すように、ドロワーユニット８０がＺ方向へ押し込まれると、−Ｚ方向側のキャスタ１３８の高さとＺ方向側のキャスタ１３８の高さがほぼ同じ高さとなる。そして、ドロワーユニット８０がさらにＺ方向へ押し込まれると、図４に示すように、ブラケット１１３Ａの貫通孔１１９Ａの孔壁にスタッド１３７Ａが嵌合され、ブラケット１１３Ｂの貫通孔１１９Ｂの孔壁にスタッド１３７Ｂが嵌合される。さらに、１組のブラケット１４２の引掛部１４２Ａ（切欠部）内に、第１ピン１３６Ａ、第２ピン１３６Ｂが配置される。
【００９１】
図７（Ａ）に示すように、ブラケット１１３Ａにスタッド１３７Ａを嵌合させるときは、偏心カム１４９の中心から遠い周面がカムフォロワ１４５と接触して、レバー部材１４４の長辺部１４４Ｂがブラケット１４２に近づく方向に変位しており、ブラケット１４２が下がって、対向ロール１１６に対して二次転写ロール１１８が離れた位置に配置されている。なお、ブラケット１１３Ａ側とブラケット１１３Ｂ（図４参照）側は同様の構成であるため、ブラケット１１３Ｂ側の図示及び説明は省略する。
【００９２】
続いて、図７（Ｂ）に示すように、中心に近い周面がカムフォロワ１４５側に向く位置まで偏心カム１４９を回転させると、偏心カム１４９とカムフォロワ１４５が非接触状態となり、レバー部材１４４は、引張コイルバネ１４８の引張力により引っ張られて図示の反時計回り方向に回転する。そして、レバー部材１４４によりブラケット１４２が＋Ｅ方向に押し上げられ、第１ピン１３６Ａが＋Ｅ方向に押し上げられる。
【００９３】
これにより、ハウジング１２１の第１ピン１３６Ａ側が、第１スタッド１３７Ａを回転中心として図示の反時計回り方向に回転し、二次転写ロール１１８が対向ロール１１６に向けて＋Ｅ方向に押圧（付勢）される。そして、二次転写位置では、対向ロール１１６と二次転写ロール１１８とで挟まれた中間転写ベルト１０６（及び記録用紙Ｐ（図示省略））に対して、押圧力Ｆが作用する。
【００９４】
ここで、第１実施形態の転写ユニット１００では、第２ユニット１０４の回転中心である第１スタッド１３７Ａが、装置本体１３（図５参照）ではなく、第１ユニット１０２に設けられているので、対向ロール１１６と二次転写ロール１１８との間の累積公差には、装置本体１３に対する第１ユニット１０２の組付公差及び第２ユニット１０４の組付公差が含まれなくなる。これにより、転写ユニット１００では、リトラクト機構部１４０の組付公差のみが影響することになるので、比較例の転写装置２００に比べて、対向ロール１１６と二次転写ロール１１８との間の累積公差が小さくなる。即ち、二次転写ロール１１８と対向ロール１１６との相対的な位置精度が上がる。
【００９５】
また、転写ユニット１００では、対向ロール１１６と二次転写ロール１１８との間の累積公差が小さくなることから、これらの軸方向（Ｚ方向）における記録用紙Ｐに作用する荷重のばらつき（−Ｚ方向側の荷重とＺ方向側の荷重との差）が比較例の転写装置２００に比べて小さくなり、また、力の伝達効率が比較例の転写装置２００に比べて良くなる。これにより、転写ユニット１００は、比較例の転写装置２００に比べて、転写したトナー画像の設定位置からのずれ量がＺ方向、−Ｚ方向で異なることが抑制され、トナー画像の歪みが低減される。そして、対向ロール１１６に二次転写ロール１１８を付勢するときの記録用紙Ｐに作用する余荷重を大きく見積もる必要がなくなり、必要とされる付勢力が小さくなる。
【００９６】
[第２実施形態]
次に、本発明の第２実施形態に係る転写装置及び画像形成装置の一例について説明する。
【００９７】
第２実施形態の画像形成装置は、前述した第１実施形態の画像形成装置１０において、転写ユニット１００に換えて、転写装置の一例としての転写ユニット１６０が設けられた構成となっている。なお、他の構成は第１実施形態の画像形成装置１０及び転写ユニット１００と同様になっている。このため、第２実施形態においても画像形成装置１０として記載し、前述した第１実施形態の画像形成装置１０と基本的に同一の部材、部位には、前記第１実施形態と同一の符号を付与してその説明を省略する。
【００９８】
図８に示すように、第２実施形態の転写ユニット１６０は、第１ユニット１０２と、中間転写ベルト１０６上のトナー画像を記録用紙Ｐに二次転写する第２ユニット１６２と、リトラクト機構部１４０とを有している。
【００９９】
第２ユニット１６２は、二次転写ロール１１８（図４参照）と、第１ピン１３６Ａ及び第２ピン１３６Ｂ（図４参照）と第１スタッド１３７Ａ及び第２スタッド１３７Ｂとが設けられたハウジング１２１と、を有している。そして、ハウジング１２１における１３１の下面には、装置本体１３に設けられた乗上部１６４と接触してハウジング１２１を側壁１１１Ａ、１１１Ｂ及びブラケット１１３Ａ、１１３Ｂ側へ押し上げる押上部１６６が設けられている。なお、乗上部１６４は装置本体１３に含まれる。
【０１００】
乗上部１６４は、装置本体１３の底部１３Ａ上のＺ方向中央部からＺ方向側端部までに亘って設けられている。また、乗上部１６４は、−Ｘ方向に見て断面形状が台形状となっており、−Ｚ方向に向けて−Ｙ方向に下がる傾斜部１６４Ａと、傾斜部１６４ＡのＺ方向側に連続してＺ方向に延びるベース部１６４Ｂと、を有している。ベース部１６４Ｂの上面は、ほぼ水平面に沿っている。
【０１０１】
押上部１６６は、底板１３１の下面でＺ方向中央部から−Ｚ方向側端部までに亘って設けられている。また、押上部１６６は、−Ｘ方向に見て断面形状が台形状となっており、Ｚ方向中央部から−Ｚ方向側に延びる断面矩形状のベース部１６６Ａと、ベース部１６６ＡのＺ方向側の端部に連続すると共に、Ｚ方向に向けてＹ方向に上がる傾斜部１６６Ｂと、を有している。ベース部１６６Ａの下面は、ほぼ水平面に沿っている。
【０１０２】
ここで、ドロワーユニット８０を装置本体１３に装着した状態では、Ｚ方向の中央部において、ベース部１６４Ｂ上にベース部１６６Ａが乗り上げており、ハウジング１２１のＺ方向端部と−Ｚ方向端部との高さがほぼ同じ高さに揃えられている。また、ドロワーユニット８０には、カバー部材８２のＺ方向側で且つ−Ｙ方向端部（下端部）の面に隣接して、連結部１６８が設けられている。
【０１０３】
連結部１６８は、−Ｘ方向に見て断面形状が矩形状のベース１６８Ａを有している。ベース１６８Ａ上には、Ｘ方向に間隔をあけて１対のブラケット（図示省略）が２組設けられており、これらのブラケットには、ハウジング１２１の−Ｚ方向側に設けられたキャスタ１３８が回転可能に連結されている。
【０１０４】
ハウジング１２１は、キャスタ１３８が連結部１６８のＺ方向側の上端部に連結されていることによって、Ｚ方向側の端部の高さが−Ｚ方向側の端部の高さと同じ配置（水平配置）となるか、あるいは、Ｚ方向側の端部の高さが−Ｚ方向側の端部の高さよりも低い配置（傾斜配置）となることが可能となっている。
【０１０５】
（作用）
次に、第２実施形態の作用について説明する。
【０１０６】
第２実施形態の画像形成装置１０において、一例として、二次転写位置で記録用紙Ｐが詰まった場合、図９（Ａ）に示すように、ユーザ（図示省略）がドロワーユニット８０を−Ｚ方向側に引き出すことで、記録用紙Ｐの取出しが可能となる。なお、ドロワーユニット８０を−Ｚ方向に引き出すとき、底板１３１のＺ方向側の端部が乗上部１６４から下がり、第２ユニット１６２は、Ｚ方向側が−Ｙ方向に下がった傾斜配置となる。これにより、側壁１３３のＹ方向端部（上端部）がブラケット１１３Ａの−Ｙ方向端部（下端部）よりも下側を通過し、ブラケット１１３Ａと側壁１３３が接触せずに、ドロワーユニット８０が−Ｚ方向に引き出される。
【０１０７】
続いて、図９（Ｂ）に示すように、ユーザ（図示省略）がドロワーユニット８０をＺ方向に押し込むと、側壁１３３のＹ方向端部（上端部）がブラケット１１３Ａの−Ｙ方向端部（下端部）よりも下側を通過し、ブラケット１１３Ａと側壁１３３が接触せずに、ドロワーユニット８０がＺ方向に押し込まれる。そして、底板１３１のＺ方向側の端部が乗上部１６４上に乗り上げる。
【０１０８】
続いて、図９（Ｃ）に示すように、ドロワーユニット８０がＺ方向へ押し込まれると、乗上部１６４上に押上部１６６が乗り上げ、ハウジング１２１のＺ方向側の端部がＹ方向に押し上げられる。これにより、ハウジング１２１の上端の−Ｚ方向側の高さとＺ方向側の高さとが、ほぼ同じ高さとなる。そして、ドロワーユニット８０がさらにＺ方向へ押し込まれることで、図４に示すように、ブラケット１１３Ａの貫通孔１１９Ａの孔壁にスタッド１３７Ａが嵌合され、ブラケット１１３Ｂの貫通孔１１９Ｂの孔壁にスタッド１３７Ｂが嵌合される。さらに、１組のブラケット１４２の引掛部１４２Ａ（切欠部）内に、第１ピン１３６Ａ、第２ピン１３６Ｂが配置される。
【０１０９】
続いて、図７（Ｂ）に示すように、偏心が小さい部位がカムフォロワ１４５側に向く位置まで偏心カム１４９を回転させると、偏心カム１４９とカムフォロワ１４５が非接触状態となり、レバー部材１４４は、引張コイルバネ１４８の引張力により引っ張られて図示の反時計回り方向に回転する。そして、レバー部材１４４によりブラケット１４２が＋Ｅ方向に押し上げられ、第１ピン１３６Ａが＋Ｅ方向に押し上げられる。
【０１１０】
これにより、ハウジング１２１の第１ピン１３６Ａ側が、第１スタッド１３７Ａを回転中心として図示の反時計回り方向に回転し、二次転写ロール１１８が対向ロール１１６に向けて＋Ｅ方向に押圧（付勢）される。そして、二次転写位置では、対向ロール１１６と二次転写ロール１１８とで挟まれた中間転写ベルト１０６（及び記録用紙Ｐ（図示省略））に対して、押圧力Ｆが作用する。
【０１１１】
ここで、第２実施形態の転写ユニット１６０では、ドロワーユニット８０を装置本体１３（図５参照）に対してＺ方向に押し込む装着動作（ブラケット１１３Ａ、１１３Ｂへのハウジング１２１の装着動作）に伴って、押上部１６６が装置本体１３の乗上部１６４上に乗り上がる。これにより、ハウジング１２１のＺ方向側がＹ方向に押し上げられ、ハウジング１２１の上端の高さが揃うので、モータなどの駆動機構を別途設けてハウジング１２１のＺ方向側をＹ方向に押し上げる構成に比べて、ブラケット１１３Ａ、１１３Ｂ（側壁１１１Ａ、１１１Ｂ）とハウジング１２１との連結が簡単となる。
【０１１２】
また、転写ユニット１６０では、第２ユニット１６２の回転中心である第１スタッド１３７Ａが、装置本体１３（図５参照）ではなく、第１ユニット１０２に設けられているので、対向ロール１１６と二次転写ロール１１８との間の累積公差には、装置本体１３に対する第１ユニット１０２の組付公差及び第２ユニット１６２の組付公差が含まれなくなる。これにより、転写ユニット１６０では、リトラクト機構部１４０の組付公差のみが影響することになるので、比較例の転写装置２００に比べて、対向ロール１１６と二次転写ロール１１８との間の累積公差が小さくなる。即ち、二次転写ロール１１８と対向ロール１１６との相対的な位置精度が上がる。
【０１１３】
また、転写ユニット１６０では、対向ロール１１６と二次転写ロール１１８との間の累積公差が小さくなることから、これらの軸方向（Ｚ方向）における記録用紙Ｐに作用する荷重のばらつき（−Ｚ方向側の荷重とＺ方向側の荷重との差）が比較例の転写装置２００に比べて小さくなり、また、力の伝達効率が比較例の転写装置２００に比べて良くなる。これにより、転写ユニット１００は、比較例の転写装置２００に比べて、転写したトナー画像の設定位置からのずれ量がＺ方向、−Ｚ方向で異なることが抑制され、トナー画像の歪みが低減される。そして、対向ロール１１６に二次転写ロール１１８を付勢するときの記録用紙Ｐに作用する余荷重を大きく見積もる必要がなくなり、必要とされる付勢力が小さくなる。
【０１１４】
なお、本発明は上記の実施形態に限定されない。
【０１１５】
被転写体は、中間転写ベルト１０６に限らず、感光層を有する無端状の感光体ベルトであってもよい。この場合、第２ユニットは無く、トナー画像は対向ロール及び一次転写ロールによって、感光体ベルトから記録用紙Ｐへ直接、転写される。
【０１１６】
側壁１１１Ａとブラケット１１３Ａ、側壁１１１Ｂとブラケット１１３Ｂは、それぞれ一体化されていてもよい。さらに、ハウジング１２１は、側壁１３４、１３５が設けられていなくてもよい。
【０１１７】
連結手段（嵌合構造）は、スタッドを貫通孔に挿入する（着脱可能に嵌合させる）ものに限らず、穴部にピンを嵌合させるものであってもよい。
【０１１８】
リトラクト機構部１４０は、偏心カム１４９の中心から遠い周面がカムフォロワ１４５と接触することで、対向ロール１１６に対して二次転写ロール１１８を離すものに限らず、偏心カム１４９の中心から遠い周面がカムフォロワ１４５と接触することで、対向ロール１１６に対して二次転写ロール１１８を近づけるものであってもよい。
【符号の説明】
【０１１９】
１０  画像形成装置
１３  装置本体
６０  画像形成部（現像剤像形成手段の一例）
１００  転写ユニット（転写装置の一例）
１０６  中間転写ベルト（被転写体の一例）
１１１Ａ  側壁（第１支持部材の一例）
１１１Ｂ  側壁（第１支持部材の一例）
１１３Ａ  ブラケット（第１支持部材の一例）
１１３Ｂ  ブラケット（第１支持部材の一例）
１１６  対向ロール（巻掛部材の一例）
１１８  二次転写ロール（転写部材の一例）
１２１  ハウジング（第２支持部材の一例）
１３９Ａ  嵌合構造（連結手段の一例）
１３９Ｂ  嵌合構造（連結手段の一例）
１４０  リトラクト機構部（付勢手段の一例）
１６０  転写ユニット（転写装置の一例）
１６６  押上部
【図１】
2014085428.tif 000003
【図２】
2014085428.tif 000004
【図３】
2014085428.tif 000005
【図４】
2014085428.tif 000006
【図５】
2014085428.tif 000007
【図６】
2014085428.tif 000008
【図７】
2014085428.tif 000009
【図８】
2014085428.tif 000010
【図９】
2014085428.tif 000011
【図１０】
2014085428.tif 000012